(57)【要約】【課題】低温での流動性に優れ、かつ環境に与える負荷が小さいＯ／Ｗ型ポリオルガノシロキサンエマルジョンを提供する。【解決手段】本発明のＯ／Ｗ型ポリオルガノシロキサンエマルジョンは、（Ａ）２５℃における粘度が０．１〜１０，０００Ｐａ・ｓのポリオルガノシロキサン１００重量部に対して、（Ｂ）一般式：Ｒ−Ｏ−（ＥＯ）ｍ−（ＰＯ）ｎＨ、またはＲ−Ｏ−（ＰＯ）ｎ−（ＥＯ）ｍＨ（これらの式中、Ｒは炭素原子数が１６〜２４のアルキル基、ＥＯはエチレンオキサイド単位、ＰＯはプロピレンオキサイド単位をそれぞれ表す。ｍはエチレンオキサイド単位の平均付加モル数、ｎはプロピレンオキサイド単位の平均付加モル数をそれぞれ表し、いずれも１〜１００の整数であり、ｍ／ｎ＞２である。）で示されるポリオキシアルキレンアルキルエーテル１〜５０重量部、および（Ｃ）水を含有する。【選択図】なし【特許請求の範囲】
【請求項１】
（Ａ）２５℃における粘度が０．１〜１０，０００Ｐａ・ｓであるポリオルガノシロキサン１００重量部に対して、
（Ｂ）一般式：Ｒ−Ｏ−（ＥＯ）ｍ−（ＰＯ）ｎＨ、
またはＲ−Ｏ−（ＰＯ）ｎ−（ＥＯ）ｍＨ（これらの式中、Ｒは炭素原子数が１６〜２４のアルキル基、ＥＯはエチレンオキサイド単位、ＰＯはプロピレンオキサイド単位をそれぞれ表す。ｍはエチレンオキサイド単位の平均付加モル数、ｎはプロピレンオキサイド単位の平均付加モル数をそれぞれ表し、いずれも１〜１００の整数であり、ｍ／ｎ＞２である。）で示されるポリオキシアルキレンアルキルエーテル１〜５０重量部、および
（Ｃ）水を
含むことを特徴とする水中油型ポリオルガノシロキサンエマルジョン。
【請求項２】
前記（Ｂ）成分が、一般式：Ｒ−Ｏ−（ＥＯ）ｍ−（ＰＯ）ｎＨで示されるポリオキシアルキレンアルキルエーテルであることを特徴とする請求項１記載の水中油型ポリオルガノシロキサンエマルジョン。
【請求項３】
前記（Ｂ）ポリオキシアルキレンアルキルエーテルを表す一般式において、Ｒが炭素原子数１６のセチル基であることを特徴とする請求項１または２記載の水中油型ポリオルガノシロキサンエマルジョン。
【請求項４】
前記（Ｂ）ポリオキシアルキレンアルキルエーテルを表す一般式において、プロピレンオキサイド単位の付加モル数であるｎが４以上であることを特徴とする請求項１乃至３のいずれか１項記載の水中油型ポリオルガノシロキサンエマルジョン。
【請求項５】
エマルジョンの平均粒子径が０．５〜５０μｍであることを特徴とする請求項１乃至４のいずれか１項記載の水中油型ポリオルガノシロキサンエマルジョン。
【発明の詳細な説明】
【技術分野】
【０００１】
本発明は、水中油型ポリオルガノシロキサンエマルジョンに係り、さらに詳しくは、低温流動性に優れ、かつ環境に対する負荷が小さい水中油型ポリオルガノシロキサンエマルジョンに関する。
【背景技術】
【０００２】
一般に、シリコーン（ポリオルガノシロキサン）は、潤滑性、離型性、撥水性などに優れていることから、綿や羊毛などの天然繊維や合成繊維の柔軟仕上げ剤として、またプラスチック製品の成形の際の離型剤として、さらには毛髪用化粧料や皮膚用化粧料の原料として広く用いられている。そして、シリコーンは、これらの用途において、水系での処理が可能で他の有機成分との配合安定性が良好であり、安全性に優れているという点から、エマルジョンの形態で広く使用されている。
【０００３】
シリコーンエマルジョンに使用される乳化剤としては、非イオン性界面活性剤、アニオン性界面活性剤、カチオン性界面活性剤、両イオン性界面活性剤、およびこれらの混合物からなる界面活性剤が挙げられる。従来から、化粧料に使用されるシリコーンエマルジョンには、他の化粧料配合成分、例えば水、アルコール類、鉱物油、ワックス類、脂肪酸エステルなどにポリオルガノシロキサンを安定に分散するため、前記界面活性剤の中でもエーテル型の非イオン性界面活性剤が好適に用いられている。
【０００４】
しかしながら、近年、環境に対する負荷の少ない界面活性剤の選択が求められている。例えば、炭素原子数１２〜１５のアルキル基を有するアルキルポリエーテル類は、環境への影響が懸念される化学物質として、ＰＲＴＲ（Pollutant Release and Transfer Register）の排出量などが義務付けられた指定化学物質に認定され、その使用が制限されるようになっている。また、原料が牛脂などの獣脂由来の界面活性剤は、厚生省医薬安全局長からの「ウシ等由来物を原料として製造される医薬品等の品質および安全性確保について（平成１２年１２月１２日付）」の通達により、化粧品などへの使用が制限されつつある。
【０００５】
このような制限に適応した界面活性剤として、植物由来のポリオキシエチレンｎ−セチルエーテルやポリオキシエチレンｎ−ステアリルエーテルが知られているが、これらの界面活性剤は、高融点であったり、あるいは水との配合時に凝集する性質を有するため、エマルジョンのクリーミングやオイル分離、水分離のような乳化不良を引き起こすという問題があった。さらに、エマルジョンが得られた場合でも、低温での流動性が悪いという問題があった。
【０００６】
このような問題を解決するために、乳化剤として、長鎖（アルキル鎖長が１６）のポリオキシエチレン付加物と短鎖（アルキル鎖長が１０）のポリオキシエチレン付加物とを組み合わせて用いたシリコーンエマルジョン（例えば、特許文献１参照）や、イソセチルアルコールのような長鎖分岐型アルコールのポリオキシエチレン付加物を用いたシリコーンエマルジョン（例えば、特許文献２参照）が提案されている。
【０００７】
しかしながら、特許文献１および特許文献２に記載されたシリコーンエマルジョンは、いずれも低温での流動性が十分でなく、ハンドリング性（取り扱い性）に劣るという問題があった。
【特許文献１】特開２００２−１８８０５５公報
【特許文献２】特開２００３−０７３５４６公報
【発明の開示】
【発明が解決しようとする課題】
【０００８】
本発明は、これらの問題を解決するためになされたもので、低温での流動性に優れ、かつ環境に与える負荷が小さい水中油型ポリオルガノシロキサンエマルジョンを提供することを目的とする。
【課題を解決するための手段】
【０００９】
本発明の水中油型ポリオルガノシロキサンエマルジョンは、（Ａ）２５℃における粘度が０．１〜１０，０００Ｐａ・ｓであるポリオルガノシロキサン１００重量部に対して、（Ｂ）一般式：Ｒ−Ｏ−（ＥＯ）ｍ−（ＰＯ）ｎＨ、またはＲ−Ｏ−（ＰＯ）ｎ−（ＥＯ）ｍＨ（これらの式中、Ｒは炭素原子数が１６〜２４のアルキル基、ＥＯはエチレンオキサイド単位、ＰＯはプロピレンオキサイド単位をそれぞれ表す。ｍはエチレンオキサイド単位の平均付加モル数、ｎはプロピレンオキサイド単位の平均付加モル数をそれぞれ表し、いずれも１〜１００の整数であり、ｍ／ｎ＞２である。）で示されるポリオキシアルキレンアルキルエーテル１〜５０重量部、および
（Ｃ）水を含むことを特徴とする。
【発明の効果】
【００１０】
本発明の水中油型ポリオルガノシロキサンエマルジョンは、低温での流動性に優れ、かつ環境に対する負荷や人体に与える悪影響が少ない。また、他の成分に配合した場合の分散性が良好であり、被配合成分へのポリオルガノシロキサンの添加効果を十分に発揮することができる。
【発明を実施するための最良の形態】
【００１１】
以下、本発明に係る水中油型ポリオルガノシロキサンエマルジョンの実施の形態について説明する。
【００１２】
本発明の実施形態の水中油型ポリオルガノシロキサンエマルジョンは、（Ａ）２５℃における粘度が０．１〜１０，０００Ｐａ・ｓのポリオルガノシロキサン１００重量部と、（Ｂ）一般式：Ｒ−Ｏ−（ＥＯ）ｍ−（ＰＯ）ｎＨ、またはＲ−Ｏ−（ＰＯ）ｎ−（ＥＯ）ｍＨ（これらの式中、Ｒは炭素原子数が１６〜２４のアルキル基、ＥＯはエチレンオキサイド単位、ＰＯはプロピレンオキサイド単位をそれぞれ表す。ｍはエチレンオキサイド単位の平均付加モル数、ｎはプロピレンオキサイド単位の平均付加モル数をそれぞれ表し、いずれも１〜１００の整数であり、ｍ／ｎ＞２である。）で示されるポリオキシアルキレンアルキルエーテル１〜５０重量部、および（Ｃ）水をそれぞれ含有する。
【００１３】
本発明の実施形態において、（Ａ）成分である粘度（２５℃）が０．１〜１０，０００Ｐａ・ｓのポリオルガノシロキサンは、エマルジョンの主剤であり、例えば平均組成式：Ｒ１ａＳｉＯ（４−ａ）／２で示すことができる。
【００１４】
式中、Ｒ１は、互いに同一または異なる置換もしくは非置換の一価の炭化水素基であり、具体的には、メチル基、エチル基、プロピル基、ブチル基、ペンチル基、ヘキシル基、ヘプチル基、オクチル基、デシル基、ドデシル基などの脂肪族飽和炭化水素基；ビニル基、アリル基、ヘキセニル基などの脂肪族不飽和炭化水素基；シクロペンチル基、シクロヘキシル基などの脂環式炭化水素基；フェニル基、トリル基、ナフチル基などの芳香族炭化水素基；これらの基の炭素原子に結合した水素原子が部分的にハロゲン原子またはエポキシ基、カルボキシル基、メタクリル基、ポリオキシアルキレン基などの有機基で置換された基などが例示される。これらの中でも、非置換の一価炭化水素基が好ましい。さらに、Ｒ１の一部が水素原子、水酸基またはアルコキシ基で置換されたものであってもよい。ａは０を越え３未満の数であり、好ましくは１．０〜２．５であり、より好ましくは１．８〜２．２である。分子構造は、直鎖状、一部分岐を有する直鎖状、分岐状、環状のいずれであってもよい。
【００１５】
（Ａ）成分としては、分子鎖末端がトリメチルシロキシ基、シラノール基、アルコキシ基、Ｓｉ−Ｈ基（シリル基）などで封鎖された直鎖状のジオルガノポリシロキサンが好ましい。ジオルガノポリシロキサンとして、例えば、ジメチルポリシロキサン、メチルフェニルシロキサン・ジメチルシロキサン共重合体、メチルビニルシロキサン・ジメチルシロキサン共重合体、メチルエチルシロキサン・ジメチルシロキサン共重合体などが挙げられる。これらのポリオルガノシロキサンの中で、ジメチルシロキサン単位が７０モル％以上であるものが好ましい。
【００１６】
また、（Ａ）成分としては、１種類のポリオルガノシロキサンを単独で使用してもよく、２種以上を混合して使用してもよい。２５℃における粘度は、０．１〜１０，０００Ｐａ・ｓであり、０．５〜２,０００Ｐａ・ｓの範囲が好ましく、１．０〜１,０００Ｐａ・ｓの範囲がより好ましい。
【００１７】
なお、ここでいう粘度は（Ａ）成分全体としての粘度であるので、前記範囲外の粘度のポリオルガノシロキサンであっても、異なる粘度のポリオルガノシロキサンと混合して粘度を調整することにより、（Ａ）成分として使用することができる。例えば、５,０００〜２０,０００Ｐａ・ｓの高粘度ポリオルガノシロキサンに、希釈剤として粘度１．０Ｐａ・ｓ以下のポリオルガノシロキサンや、ヘキサメチルジシロキサン、オクタメチルシクロテトラシロキサン、デカメチルシクロペンタシロキサンなどの揮発性の低分子量ポリオルガノシロキサンを配合した混合物も使用することができる。このような混合物において、希釈剤の配合量は、高粘度ポリオルガノシロキサン１００重量部に対して、１０〜１０００重量部とすることが好ましい。
【００１８】
実施形態において、（Ｂ）成分である一般式：Ｒ−Ｏ−（ＥＯ）ｍ−（ＰＯ）ｎＨ、またはＲ−Ｏ−（ＰＯ）ｎ−（ＥＯ）ｍＨで表されるポリオキシアルキレンアルキルエーテルは、本発明の水中油型エマルジョンの特徴的な成分である。この（Ｂ）ポリオキシアルキレンアルキルエーテルは前記（Ａ）成分の乳化剤であり、（Ｂ）成分の配合により、エマルジョンの低温での流動性および安定性を向上させることができ、かつ環境や人体に対する負荷が小さいという利点を有する。さらに、本発明のエマルジョンを他の成分に配合する場合の分散性や安定性を向上させる働きをする。（Ｂ）成分としては、製造の容易さの観点から、一般式：Ｒ−Ｏ−（ＥＯ）ｍ−（ＰＯ）ｎＨで表されるポリオキシアルキレンアルキルエーテルを使用することが望ましい。
【００１９】
（Ｂ）ポリオキシアルキレンアルキルエーテルを示す一般式において、Ｒは炭素原子数が１６〜２４のアルキル基、具体的には、セチル基、イソセチル基、ステアリル基、イソステアリル基、ベヘニル基、デシルテトラデシル基などが挙げられる。入手のし易さから、セチル基あるいはステアリル基が望ましい。また、エチレンオキサイド単位（ＥＯ）とプロピレンオキサイド単位（ＰＯ）の平均付加モル数を表すｍおよびｎは、いずれも１〜１００より好ましくは４〜６０の整数である。さらに、ｍ／ｎ＞２とする。
【００２０】
Ｒの炭素原子数、エチレンオキサイドおよびプロピレンオキサイドの付加モル数が前記範囲を外れると、エマルジョンの安定性が低下する。（Ｂ）成分は、１種類を単独で使用しても２種以上の混合物でもよい。
【００２１】
（Ｂ）成分の配合量は、（Ａ）成分１００重量部に対して１〜５０重量部が好ましく、２〜３０重量部がさらに好ましい。（Ｂ）成分の配合量が１重量部未満では（Ａ）成分の乳化が困難であり、反対に５０重量部を超えて配合しても、得られる乳化物の粘度が高くなりすぎて使用が困難となる。
【００２２】
本発明の実施形態において、(Ｃ)成分である水は（Ａ）成分の分散媒であり、例えば、常水、純水、イオン交換水を用いることができる。（Ｃ）水の配合量は特に限定されないが、好ましくは（Ａ）成分１００重量部に対して５〜２０００重量部であり、さらに好ましくは１０〜１０００重量部である。（Ｃ）水の配合量が５重量部未満であると、エマルジョン自体の安定性や他の成分への分散性が低下し、反対に２０００重量部を超えて配合した場合には、長期の保存安定性が悪くなる場合がある。
【００２３】
本発明の実施形態のエマルジョンは、本質的に前記（Ａ）成分〜（Ｃ）成分から構成されるが、（Ａ）成分の希釈剤として炭化水素系溶剤を含有することができる。炭化水素系溶剤の配合量は、（Ａ）成分１００重量部に対して１０〜１０００重量部の範囲が好ましい。さらに、他の成分への配合安定性をよりいっそう向上させるために、本発明の目的を損なわない範囲であれば、ポリオルガノシロキサンエマルジョンの添加剤として公知である他の成分を添加・配合することができる。
【００２４】
そのような添加剤としては、アニオン性界面活性剤、カチオン性界面活性剤、両性界面活性剤、（Ｂ）成分以外のノニオン性界面活性剤、アルコール類、水溶性高分子、防腐剤、防カビ剤、防錆剤などが例示される。なお、界面活性剤は、非シリコーン系の界面活性剤であることが好ましい。これらの成分は単独で使用しても、複数を組み合わせて使用してもよい。またその配合手順は特に限定されない。
【００２５】
アニオン性界面活性剤の具体例としては、Ｎ−アシル−サルコシン塩類、Ｎ−アシルグルタミン酸およびその塩類、アルカンスルホン酸およびその塩類、α−オレフィンスルホン酸およびその塩類、アルキル硫酸およびその塩類、ジアルキルスルホコハク酸およびその塩類、アシルメチルタウリンおよびその塩類、ポリオキシエチレンアルキルエーテル硫酸およびその塩類、脂肪酸塩類、アルキルポリエーテルカルボン酸およびその塩類、アルキルリン酸およびその塩類、ポリオキシエチレンアルキルエーテルリン酸およびその塩類、アルキルアリルスルホン酸およびその塩類、アシル化加水分解コラーゲンペプチド塩類などが挙げられる。
【００２６】
カチオン性界面活性剤の具体例としては、エチル硫酸ラノリン脂肪酸アミノプロピルエチルジメチルアンモニウム、塩化アルキルトリメチルアンモニウム、塩化アルキルジヒドロキシエチルメチルアンモニウム、塩化−γ−グルコンアミドプロピルジメチルヒドロキシエチルアンモニウム、塩化ジアルキルジメチルアンモニウム、塩化ジ（ポリオキシエチレン）アルキルメチルアンモニウム、塩化ステアロイルコラミノホルミルメチルピリジニウム、塩化セチルピリジニウム、塩化アルキルジメチルエチルアンモニウム、塩化トリ（ポリオキシエチレン）アルキルアンモニウム、塩化ベンザルコニウム、塩化ベンゼトニウム、塩化ポリオキシエチレンポリオキシプロピレンジエチルメチルアンモニウム、塩化ポリオキシプロピレンメチルジエチルアンモニウム、塩化ラウロイルコラミノホルミルメチルピリジニウム、臭化アルキルイソキノリニウム液、臭化アルキルトリメチルアンモニウム、アルキルトリメチルアンモニウムサッカリンなどが挙げられる。
【００２７】
前記した（Ｂ）成分以外のノニオン性界面活性剤の具体例としては、エチレングリコール脂肪酸エステル類、ポリエチレングリコール脂肪酸エステル類、プロピレングリコール脂肪酸エステル類、ポリプロピレングリコール脂肪酸エステル類、グリコール脂肪酸エステル類、トリメチロールプロパン脂肪酸エステル類、ペンタエリスリット脂肪酸エステル類、グルコシド誘導体類、グリセリンアルキルエーテル脂肪酸エステル類、トリメチロールプロパンオキシエチレンアルキルエーテル類、脂肪酸アミド類、アルキロールアミド類、アルキルアミンオキシド類、ラノリンおよびその誘導体類、ヒマシ油誘導体類、硬化ヒマシ油誘導体類、ステロールおよびその誘導体類、ポリオキシエチレンアルキルエーテル類、ポリオキシエチレンアルキルアリルエーテル類、ポリオキシエチレンアルキルアミン類、ポリオキシエチレン脂肪酸アミド類、ポリオキシエチレンアルキロールアミド類、ポリオキシエチレンジエタノールアミン脂肪酸エステル類、ポリオキシエチレントリメチロールプロパン脂肪酸エステル類、ポリオキシエチレンアルキルエーテル脂肪酸エステル類、ポリオキシエチレンポリオキシプロピレングリコール類、ポリオキシエチレンポリオキシプロピレンアルキルエーテル類、ポリオキシエチレンポリオキシプロピレン多価アルコールエーテル類、グリセリン脂肪酸エステル類、ポリグリセリン脂肪酸エステル類、ポリオキシエチレングリセリン脂肪酸エステル類、ソルビタン脂肪酸エステル類、ポリオキシエチレンソルビタン脂肪酸エステル類、ショ糖脂肪酸エステル類などが挙げられる。
【００２８】
両性界面活性剤の具体例としては、２−アルキル−Ｎ−カルボキシメチル−Ｎ−ヒドロキシエチルイミダゾリニウムベタイン、アルキルヒドロキシエチルイミダゾリニウムベタインナトリウム、塩酸アルキルジアミノエチルエチルグリシン液、ステアリルジメチルアミノ酢酸ベタイン、ビス（ステアリル−Ｎ−ヒドロキシエチルイミダゾリン）クロル酢酸錯体、アルキル−Ｎ−カルボキシメトキシエチル−Ｎ−カルボキシメチルイミダゾリニウムジナトリウムヒドロキシド、ヤシ油アルキル−Ｎ−カルボキシメトキシエチル−Ｎ−カルボキシメチルイミダゾリニウムジナトリウムラウリル硫酸、アルキルベタイン、ラウリルアミノプロピオン酸トリエタノールアミン、β−ラウリルアミノプロピオン酸ナトリウム、ラウリル−Ｎ−カルボキシメトキシエチル−Ｎ−カルボキシメチルイミダゾリニウムジナトリウムドデカノイルサルコシン、ラウリルジアミノエチルグリシンナトリウム、ラウリルジメチルアミノ酢酸ベタイン、ラウリン酸アミドプロピルベタイン液などが挙げられる。
【００２９】
防腐剤、防カビ剤、防錆剤の具体例としては、安息香酸、安息香酸アルミニウム、安息香酸ナトリウム、イソプロピルメチルフェノール、エチルヘキサンジオール、塩化リゾチーム、塩酸クロルヘキシジン、オクチルフェノキシエタノール、オルトフェニルフェノール、過ホウ酸ナトリウム、感光素１０１号、感光素２０１号、感光素３０１号、感光素４０１号、グルコン酸クロルヘキシジン液、クレゾール、クロラミンＴ、クロルキシレノール、クロルクレゾール、クロルフェネシン、クロルヘキシジン、クロロブタノール、酢酸レゾルシン、サリチル酸、サリチル酸ナトリウム、臭化ドミフェン、ジンクピリチオン、ジンクピリチオン液、ソルビン酸、サオルビン酸カリウム、チアントール、チオキソロン、チモール、チラム、デヒドロ酢酸、デヒドロ酢酸ナトリウム、トリクロロカルバニリド、トリクロロヒドロキシジフェニルエーテル、パラオキシ安息香酸イソブチル、パラオキシ安息香酸イソプロピル、パラオキシ安息香酸エチル、パラオキシ安息香酸ブチル、パラオキシ安息香酸プロピル、パラオキシ安息香酸ベンジル、パラオキシ安息香酸メチル、パラオキシ安息香酸メチルナトリウム、パラクロルフェノール、パラフェノールスルホン酸ナトリウム（二水和物）、ハロカルバン、フェノキシエタノール、フェノール、ヘキサクロロファン、モノニトログアヤコール、モノニトログアヤコールナトリウム、ヨウ化パラジメチルアミノスチリルヘプチルメチルリアゾリニウム、ラウリルトリメチルアンモニウムトリクロロフェノキサイド、硫酸オキシキノリン、リン酸オキシキノリン、レゾルシンなどが挙げられる。
【００３０】
水溶性高分子の具体例としては、カルボキシビニルポリマー、カルボキシメチルセルロースナトリウム、アラビアゴム、アルギン酸塩、アルギン酸プロピレングリコール、エチルセルロース、カラヤガム、カルボキシメチルキチン液、カルボキシメチルデキストラン、カルボキシメチルデキストランナトリウム、カンテン、キサンタンガム、球状セルロース、グァーガム、結晶セルロース、デンプン、コンドロイチン硫酸ナトリウム、β−シクロデキストリン、ステアリン酸デキストリン、繊維素グリコール酸ナトリウム、デキストラン硫酸ナトリウム、デキストリン、天然ゴムラテックス、デンプングリコール酸エステル、ニトロセルロース、パルミチン酸デキストリン、ビスコースレーヨン、ヒドロキシエチルセルロース、ヒドロキシエチルセルロースジメチルジアリルアンモニウムクロリド、ヒドロキシエチルセルロースヒドロキシプロピルトリメチルアンモニウムクロリドエーテル、ヒドロキプロピルセルロース、ペクチン、メチルセルロース、ヤシ油脂肪酸デキストリン、ラウリン酸デキストリン、ロジンなどが挙げられる。
【００３１】
本発明の実施形態のエマルジョンを調製する方法は特に限定されないが、一般に、（Ａ）成分、（Ｂ）成分および（Ｃ）成分を均一に混合した後、高せん断をかけて乳化する方法が採られる。実施形態のエマルジョンの平均粒子径は、好ましくは０．５〜１００μｍであり、より好ましくは０．５〜５０μｍである。
【００３２】
このように構成される本発明の実施形態の水中油型ポリオルガノシロキサンエマルジョンは、低温における流動性に優れており、しかも環境に対する負荷や人体に与える悪影響が少ないという特徴を有する。また、他の成分に配合した場合の分散性が良好であり、添加・配合の効果を十分に発揮することができる。したがって、化粧料原料として好適し、また離型剤や繊維処理剤としても有用である。
【実施例】
【００３３】
以下、実施例を挙げて本発明を具体的に説明するが、本発明はこれらの実施例に限定されるものではない。なお、実施例において、部は重量部を、％は重量％をそれぞれ表し、粘度は２５℃における値である。また、エマルジョンの特性は、下記の方法に従って測定し評価した。
【００３４】
［エマルジョンの平均粒子径］
エマルジョンの粒子径は、粒度分布測定装置（ＣＯＵＬＴＥＲ（株）製；ＬＳ１００Ｑ）を用い、屈折率を１．４５に設定して測定した。
【００３５】
［エマルジョンの低温流動性］
エマルジョンを１００ｃｃのガラスビンに入れて密栓し、−１℃および２５℃の恒温槽中で１日間静置した。その後、それぞれの温度条件のままで回転粘度計を用いて粘度を測定し、下記の式により算出して比較した。なお、この値が１に近いほど、低温流動性が良好である。
低温流動性＝（−１℃での粘度）÷（２５℃の温度）
【００３６】
［エマルジョンの高温安定性］
エマルジョンを１００ｃｃのガラスビンに入れて密栓し、５０℃の恒温槽中で１ヶ月間静置した。１ヶ月後のエマルジョンの外観を目視で観察し、以下の基準にしたがって評価した。
○：調製直後と全く変化なく均一であり、高温安定性は非常に良好であった。
△：上部に若干のクリーミングが認められた。
×：２層に分離していた。
【００３７】
実施例１
粘度１００Ｐａ・ｓの分子鎖両末端トリメチルシロキシ基封鎖ポリジメチルシロキサン６００部と、エチレンオキサイド（ＥＯ）の付加モル数が１０でプロピレンオキサイド（ＰＯ）の付加モル数が８であるポリオキシエチレンポリオキシプロピレンセチルエーテル３４部、およびＥＯの付加モル数が２０でＰＯの付加モル数が８であるポリオキシエチレンポリオキシプロピレンセチルエーテル６６部を、７０℃で均一に混合した後、水８０部を加え３時間撹拌して転相させ、透明なグリース状とした。
【００３８】
次いで、水２１２部とクエン酸３部、安息香酸ナトリウム５部をそれぞれ加えて１時間撹拌し、シリコーン分６０％の均一な水中油型（以下、Ｏ／Ｗ型と示す。）エマルジョン組成物（Ｅ−１）を得た。得られたエマルジョン組成物（Ｅ−１）の平均粒子径、低温流動性および高温安定性を、それぞれ表１に示す。
【００３９】
実施例２
粘度１００Ｐａ・ｓの分子鎖両末端トリメチルシロキシ基封鎖ポリジメチルシロキサン６００部と、ＥＯの付加モル数が１０でＰＯの付加モル数が４であるポリオキシエチレンポリオキシプロピレンセチルエーテル４０部、およびＥＯの付加モル数が２０でＰＯの付加モル数が４であるポリオキシエチレンポリオキシプロピレンセチルエーテル６０部を、７０℃で均一に混合した後、水８０部を加え３時間撹拌して転相させ、透明なグリース状とした。
【００４０】
次いで、水２１２部とクエン酸３部、安息香酸ナトリウム５部をそれぞれ加えて１時間撹拌し、シリコーン分６０％の均一なＯ／Ｗ型エマルジョン組成物（Ｅ−２）を得た。得られたエマルジョン組成物（Ｅ−２）の平均粒子径、低温流動性および高温安定性を、それぞれ表１に示す。
【００４１】
実施例３
粘度８０Ｐａ・ｓの分子鎖両末端ヒドロキシル基封鎖ポリジメチルシロキサン６００部と、ＥＯの付加モル数が１０でＰＯの付加モル数が８であるポリオキシエチレンポリオキシプロピレンセチルエーテル３４部、およびＥＯの付加モル数が２０でＰＯの付加モル数が８であるポリオキシエチレンポリオキシプロピレンセチルエーテル６６部を、７０℃で均一に混合した後、水８０部を加え３時間撹拌して転相させ、透明なグリース状とした。
【００４２】
次いで、水２１２部とクエン酸３部、安息香酸ナトリウム５部をそれぞれ加えて１時間撹拌し、シリコーン分６０％の均一なＯ／Ｗ型エマルジョン組成物（Ｅ−３）を得た。得られたエマルジョン組成物（Ｅ−３）の平均粒子径、低温流動性および高温安定性を、それぞれ表１に示す。
【００４３】
比較例１
粘度１００Ｐａ・ｓの分子鎖両末端トリメチルシロキシ基封鎖ポリジメチルシロキサン６００部と、ＥＯの付加モル数が５であるポリオキシエチレンセチルエーテル３４部、およびＥＯの付加モル数が２５であるポリオキシエチレンセチルエーテル６６部を、７０℃で均一に混合した後、水７０部を加え３時間撹拌して転相させ、透明なグリース状とした。
【００４４】
次いで、水２２２部とクエン酸３部、安息香酸ナトリウム５部をそれぞれ加えて１時間撹拌し、シリコーン分６０％の均一なＯ／Ｗ型エマルジョン組成物（Ｅ−４）を得た。得られたエマルジョン組成物（Ｅ−４）の平均粒子径、低温流動性および高温安定性を、それぞれ表１に示す。
【００４５】
比較例２
粘度１００Ｐａ・ｓの分子鎖両末端トリメチルシロキシ基封鎖ポリジメチルシロキサン６００部と、ＥＯの付加モル数が５であるポリオキシエチレンイソセチル（ヘキシルデシル）エーテル３４部、およびＥＯの付加モル数が２５であるポリオキシエチレンイソセチル（ヘキシルデシル）エーテル６６部を、７０℃で均一に混合した後、水７０部を加え３時間撹拌して転相させ、透明なグリース状とした。
【００４６】
次いで、水２２２部とクエン酸３部、安息香酸ナトリウム５部をそれぞれ加えて１時間撹拌し、シリコーン分６０％の均一なＯ／Ｗ型エマルジョン組成物（Ｅ−５）を得た。得られたエマルジョン組成物（Ｅ−５）の平均粒子径、低温流動性および高温安定性を、それぞれ表１に示す。
【００４７】
【表１】
2006188618.tif 000002
【００４８】
表１から明らかなように、実施例１〜３で得られたＯ／Ｗ型ポリオルガノシロキサンエマルジョンは、低温流動性に優れており、また高温安定性が非常に良好である。
【産業上の利用可能性】
【００４９】
本発明の水中油型ポリオルガノシロキサンエマルジョンは、低温での流動性に優れ、しかも環境に対する負荷や人体に対する問題が少ないという特徴を有する。また、他の成分に配合した場合の分散性が良好であり、配合の効果を十分に発揮することができるので、化粧料原料として好適に使用され、離型剤や繊維処理剤としても有用である。